(57)【要約】【課題】巻回部に巻回された巻線の引出線部分を、端子保持部の最も端の位置に配された端子に接続する場合に、端子保持部の両端近傍に配されたコア部材に引出線部分が接触することを防止し得るコンパクトなボビンを得る。【解決手段】第１の端子保持部４０における端子６１，６２の間の位置および端子６６，６５の間の位置と、第２の端子保持部５０における端子７１，７２の間の位置および端子７６，７５の間の位置に、巻線の引出線部分を端子６１，６６，７１，７６に接続する際に利用する貫通孔８１，８２，９１，９２をそれぞれ形成する。【選択図】図１
2009043994.tif 000002
【特許請求の範囲】
【請求項１】
巻線が巻回される巻回部と、該巻回部の両端部の各々に配された第１の鍔部および第２の鍔部と、該第２の鍔部の少なくとも一端部に配された端子保持部と、が互いに一体に形成されてなるボビンであって、
前記端子保持部には複数の端子が並列して保持され、該端子保持部の両端近傍にコア部材が配されるように構成されたボビンにおいて、
前記端子保持部には、該端子保持部の一端側から１本目の端子と２本目の端子との間の位置、および該端子保持部の他端側から１本目の端子と２本目の端子との間の位置に、前記巻線挿通用の貫通孔がそれぞれ形成されている、ことを特徴とするボビン。
【請求項２】
前記各貫通孔は、前記巻回部に巻回された前記巻線の巻始めまたは巻終りの引出線部分が、該貫通孔の一方の口側から他方の口側に挿通された後、該貫通孔における該他方の口側の縁部で折り返されるように外部に延出されて該貫通孔に最も近い前記１本目の端子に接続されるように構成されている、ことを特徴とする請求項１記載のボビン。
【請求項３】
前記各貫通孔は、該貫通孔に最も近い前記１本目の端子および前記２本目の端子から等距離の位置または該２本目の端子よりも該１本目の端子に近い位置であって、かつ該１本目の端子、該２本目の端子、前記端子保持部の端面の各々から０．６ｍｍ以上離れた位置に形成されている、ことを特徴とする請求項１または２記載のボビン。
【発明の詳細な説明】
【技術分野】
【０００１】
本発明は、インダクターやトランスに利用されるボビンに関し、特に、巻回部、鍔部、および端子保持部が互いに一体に形成され、端子保持部の両端近傍にコア部材が配されるように構成されたボビンに関する。
【背景技術】
【０００２】
従来、巻回部の両端に形成された各々の鍔部に、複数の端子を保持した端子保持部（端子台）がそれぞれ設けられ、各端子保持部には、巻回部に巻回された巻線の引出線部分を所定の端子に導くための複数の貫通孔が形成されているボビンが知られている（下記特許文献１参照）。
【０００３】
一方、巻回部の両端に形成された各鍔部の一方のみに端子保持部が形成されたボビンも知られている（下記特許文献２参照）。このタイプ（以下「巻回部縦置きタイプ」と称する）のボビンは、インダクターやトランスとして用いられる際、巻回部の軸線が基板面と直交する状態で回路基板に設置されるので、コア部材を含めたトランス等の全体形状をコンパクトに構成することが可能になるという利点がある。
【０００４】
また、この巻回部縦置きタイプのボビンは、インダクターやトランスとして用いられる場合、コア部材が端子保持部の両端近傍に配されることが多い。
【０００５】
【特許文献１】実開昭６２−１０１２１０号公報
【特許文献２】特開平１１−２６２５７号公報
【発明の開示】
【発明が解決しようとする課題】
【０００６】
近年、巻回部縦置きタイプのボビンにおいて、更なる小型化および多端子化の要請が高まっている。このような要請に応えるためには、端子保持部に並列させる各端子の配設ピッチを小さくするとともに、端子保持部の両端ぎりぎりの位置にも端子を配置する必要があるが、このような形態を採る場合には、以下のような問題が生じる。
【０００７】
すなわち、従来の巻回部縦置きタイプのボビンでは、巻回部に巻回された巻線の巻始めまたは巻終りの引出線部分を各端子に導くための複数の溝部を、端子保持部や鍔部に形成していたが、更なるコンパクト化が図られ各端子の配設ピッチが小さくなるとこのような溝部を形成することがスペース的に困難となる。その結果、巻線の引出線部分を端子保持部の最も端の位置に配された端子に接続する場合、端子保持部の両端近傍に配されたコア部材に引出線部分が接触してショートする虞が生じてしまう。
【０００８】
また、巻線の引出線部分を、互いに交差（近接）させた状態で隣接する２つの端子に接続する場合もあるが、各端子間の距離が短くなるとこの交差（近接）の位置が端子に接近するため、半田付けを行う際に、溶融した半田が引出線部分を伝わり２つの引出線部分が交差（近接）する位置まで達し、巻線の皮膜を溶融させショートしてしまう虞も生じる。
【０００９】
本発明はこのような事情に鑑みなされたものであり、巻回部に巻回された巻線の巻始めまたは巻終りの引出線部分を、端子保持部の最も端の位置に配された端子に接続する場合に、端子保持部の両端近傍に配されたコア部材に引出線部分が接触することを防止し得るとともに、巻線の２つの引出線部分を互いに交差（近接）させた状態で、端子保持部の最も端の位置に配された端子と、それに隣接する端子とに接続させる場合に、溶融した半田により２つの巻線間がショートすることを防止し得るコンパクトなボビンを提供することを目的とする。
【課題を解決するための手段】
【００１０】
本発明に係るボビンは、巻線が巻回される巻回部と、該巻回部の両端部の各々に配された第１の鍔部および第２の鍔部と、該第２の鍔部の少なくとも一端部に配された端子保持部と、が互いに一体に形成されてなるボビンであって、
前記端子保持部には複数の端子が並列して保持され、該端子保持部の両端近傍にコア部材が配されるように構成されたボビンにおいて、
前記端子保持部には、該端子保持部の一端側から１本目の端子と２本目の端子との間の位置、および該端子保持部の他端側から１本目の端子と２本目の端子との間の位置に、前記巻線挿通用の貫通孔がそれぞれ形成されている、ことを特徴とする。
【００１１】
本発明において、前記各貫通孔は、前記巻回部に巻回された前記巻線の巻始めまたは巻終りの引出線部分が、該貫通孔の一方の口側から他方の口側に挿通された後、該貫通孔における該他方の口側の縁部で折り返されるように外部に延出されて該貫通孔に最も近い前記１本目の端子に接続されるように構成されたものとすることができる。
【００１２】
また、前記各貫通孔は、該貫通孔に最も近い前記１本目の端子および前記２本目の端子から等距離の位置または該２本目の端子よりも該１本目の端子に近い位置であって、かつ該１本目の端子、該２本目の端子、前記端子保持部の端面の各々から０．６ｍｍ以上離れた位置に形成することが好ましい。
【発明の効果】
【００１３】
本発明のボビンによれば、端子保持部の最も端から１本目の端子と２本目の端子との間の位置に、巻線挿通用の貫通孔がそれぞれ形成されているので、巻線の巻始めまたは巻終りの引出線部分を１本目の端子に接続する場合に、引出線部分を貫通孔に挿通させることにより、端子保持部の両端近傍に配されたコア部材から引出線部分を離間させることができ、引出線部分とコア部材とがショートすることを防止することが可能となる。
【００１４】
また、端子ピッチ間隔が狭い１本目の端子と２本目の端子にそれぞれ引出線を接続する場合でも、１本目の端子に接続する引出線部分を貫通孔に挿通させることにより、２つの引出線部分の交差（近接）の位置を１本目および２本目の端子から離間させることができる。したがって、半田付けを行う際に、溶融した半田が引出線部分を伝わり２つの引出線部分が交差（近接）する位置まで達し、２つの引出線部分間がショートすることを防止することが可能となる。
【発明を実施するための最良の形態】
【００１５】
以下、本発明に係るボビンの実施形態について、添付した図面を参照しつつ詳細に説明する。図１は本発明の一実施形態に係るボビンの平面図であり、図２はその底面図、図３はその斜視図である。また、図４はコア部材が装着された状態のボビンの斜視図であり、図５はそのコア部材の正面図である。
【００１６】
本実施形態のボビンは、インダクターやトランスに利用される巻回部縦置きタイプのものであり、図３に示すように、巻線（図示略）が巻回される円筒状の巻回部１０と、該巻回部１０の図中上端部に配された外縁が円形状の第１の鍔部２０と、該巻回部１０の図中下端部に配された外縁が矩形状の第２の鍔部３０と、巻回部１０を挟んで第２の鍔部３０の両端部にそれぞれ配された第１の端子保持部４０および第２の端子保持部５０とが、絶縁性を有する樹脂材料により互いに一体成型されてなる。
【００１７】
図１に示すように、上記第１の端子保持部４０は、複数（本実施形態では６本）の端子６１〜６６を並列して保持しており、各端子６１〜６６は、回路基板（図示略）上の回路に接続される接続部６１ｂ〜６６ｂ（図２参照）と、上記巻回部１０に巻回された巻線の引出線部分が接続される絡げ部６１ａ〜６６ａとを備えてなる。また、この第１の端子保持部４０には、該第１の端子保持部４０の一端側から１本目の端子６１と２本目の端子６２との間の位置、および該第１の端子保持部４０の他端側から１本目の端子６６と２本目の端子６５との間の位置に、巻線挿通用の貫通孔８１，８２がそれぞれ形成されている。
【００１８】
同様に、上記第２の端子保持部５０は、複数（本実施形態では６本）の端子７１〜７６を並列して保持しており、各端子７１〜７６は、回路基板（図示略）上の回路に接続される接続部７１ｂ〜７６ｂ（図２参照）と、上記巻回部１０に巻回された巻線の引出線部分が接続される絡げ部７１ａ〜７６ａとを備えてなる。また、この第２の端子保持部５０には、該第２の端子保持部５０の一端側から１本目の端子７１と２本目の端子７２との間の位置、および該第２の端子保持部５０の他端側から１本目の端子７６と２本目の端子７５との間の位置に、巻線挿通用の貫通孔９１，９２がそれぞれ形成されている。
【００１９】
上述のボビンは、図４に示すように、２つのコア部材（第１のＥ型コア１００Ａおよび第２のＥ型コア１００Ｂ）と組み合わせて使用される。図５に示すように、第１および第２のＥ型コア１００Ａ，１００Ｂは互いに同形状に形成されており、上記巻回部１０の中空部１１（図３参照）内に挿通される円柱状の中脚部１０１と、該中脚部１０１を挟んで互いに対向するように配された矩形板状の２つの外脚部１０２，１０３と、これら中脚部１０１および２つの外脚部１０２，１０３の各々の一方の端部同士を互いに連結する板状の基部１０４と、をそれぞれ備えてなる。
【００２０】
第１および第２のＥ型コア１００Ａ，１００Ｂは、図４に示すように、図中上下方向からボビンを挟み込むようにして該ボビンと組み合わされる。なお、上記第１の鍔部２０には、ボビンに対する第１のＥ型コア１００Ａの位置を規制するための２つのガイド片２１，２２が形成されており、第１のＥ型コア１００Ａをボビンに組み合わせる際、その基部１０４の中央部分が、この２つのガイド片２１，２２の間に収まるようになっている。
【００２１】
また、図１に示すように、上記第２の鍔部３０の図中左側および右側の各端面３１，３２は、上記第１および第２の端子保持部４０，５０の図中左側の各端面４１，５１同士を結ぶ仮想の直線Ｌ１および図中右側の各端面４２，５２同士を結ぶ仮想の直線Ｌ２の各位置よりも図中左右方向内側に引込んだ位置にそれぞれ形成されており、図４に示すように第２のＥ型コア１００Ｂをボビンに組み合わせる際、その２つの外脚部１０２，１０３が、上記端面３１と上記直線Ｌ１との間および上記端面３２と上記直線Ｌ２との間にそれぞれ収まるようになっている。
【００２２】
さらに、図３に示すように、第２の鍔部３０は、第１および第２の端子保持部４０，５０に比べて薄肉に構成され、ボビンを基板に設置した際に、第２の鍔部３０と基板との間にスペースが形成されるようになっており、図４に示すように第２のＥ型コア１００Ｂをボビンに組み合わせる際、その基部１０４（図５参照）が、そのスペース内に収まるようになっている。
【００２３】
このような構成を採用したことにより、第１および第２のＥ型コア１００Ａ，１００Ｂとボビンとが組み合わせされた状態における全体的な形状をコンパクトにすることができるとともに、多端子化することが可能となっている。
【００２４】
一方、このような小型化および多端子化を図ったことにより次のような問題も生じる。すなわち、巻回部１０に巻回された巻線の巻始めまたは巻終りの引出線部分を各端子６１〜６６，７１〜７６に導くための溝部を設けることがスペース的に困難となる（本実施形態では、巻回部１０に巻回された巻線の巻始めまたは巻終りの引出線部分を、端子６５に導くための溝部３３および端子７２に導くための溝部３４（図１参照）のみが形成されている）。その結果、巻線の引出線部分を第１および第２の端子保持部４０，５０の最も端の位置に配された端子６１，６６，７１，７６に対し直線的に接続しようとすると、特に、第２のＥ型コア１００Ｂの外脚部１０２，１０３に引出線部分が接触してショートする虞が生じてしまう。
【００２５】
また、巻線の引出線部分を、互いに交差（近接）させた状態で隣接する２つの端子（例えば、端子７５，７６）に、それぞれ直線的に接続した場合、半田付けを行う際に、溶融した半田が引出線部分を伝わり２つの引出線部分が交差（近接）する位置まで達し、隣接する端子間がショートしてしまう虞も生じる。
【００２６】
そこで、本実施形態のボビンでは、巻回部１０に巻回された巻線の巻始めまたは巻終りの引出線部分を、第１および第２の端子保持部４０，５０の最も端の位置に配された端子６１，６６，７１，７６に接続する際に利用する、上述の巻線挿通用の貫通孔８１，８２，９１，９２を備え、これにより上述の問題解決を図っている。
【００２７】
すなわち、上記貫通孔９２は、図４に示すように、巻回部１０に巻回された巻線の引出線部分２を、第２の端子保持部５０の図中最も右端の位置に配された端子７６に接続する際に利用される。巻線の引出線部分２は、貫通孔９２の一方の口側（図中上方の口側）から他方の口側（図中下方の口側）に挿通された後、該他方の口側の縁部で折り返されるように外部に延出されて端子７６の絡げ部７６ａに接続される。なお、図２に示すように第２の端子保持部５０の底面部には、貫通孔９２の上記他方の口から端子７６に向けて延設された溝部９４が形成されており、巻線の引出線部分２は、貫通孔９２から引き出された後、この溝部９４を経由して、端子７６の絡げ部７６ａに接続されるようになっている。
【００２８】
図１に示すように上記貫通孔９２は、端子７５，７６の間の位置、すなわち端子７５の中心線Ｃ１と端子７６の中心線Ｃ２とに挟まれる位置に形成されている。このため、図４において、巻線の引出線部分２を、貫通孔９２を経由せずに直線状に引き渡した状態で端子７６の絡げ部７６ａに接続する場合に比べて、貫通孔９２を経由して接続した場合の方が、第２のＥ型コア１００Ｂの外脚部１０３から離れた位置を引出線部分２が通ることが可能となっている。したがって、引出線部分２が第２のＥ型コア１００Ｂの外脚部１０３に接触してショートすることを防止することが可能となる。
【００２９】
また、他の引出線部分（図示略）を、上記引出線部分２と交差（近接）させた状態で端子７５に接続した場合でも、引出線部分２が貫通孔９２を経由して端子７６に接続されていることによって、２つの引出線部分が交差（近接）する位置から端子７６までの距離を引き離すことができるので、例えば、端子７６の半田付けを行う際に、溶融した半田が引出線部分２および他の引出線部分を伝わって上記交差（近接）する位置まで達し、隣接する端子間がショートしてしまうことを防止することが可能となる。
【００３０】
なお、上記貫通孔９２は、端子７５および端子７６から等距離の位置または端子７６に近い位置であって、かつ端子７５，７６、第２の端子保持部５０の端面の各々から０．６ｍｍ以上離れた位置に形成されている。
【００３１】
すなわち、図１に示すように、貫通孔９２の幅をＷ、貫通孔９２から端子７５までの距離をｄ１、貫通孔９２から端子７６までの距離をｄ２、貫通孔９２から第２の端子保持部５０の図中下側の端面５３までの距離をｄ３、端子７５，７６の幅をｒ、端子７５，７６の配設ピッチをＲとするとき、下式（１）〜（３）を満足するように構成されている。
０．６≦ｄ１  ・・・・・・  （１）
０．６≦ｄ２≦（Ｒ−ｒ−Ｗ）／２  ・・・・・・  （２）
０．６≦ｄ３  ・・・・・・  （３）
【００３２】
ここで、上記貫通孔９２を、端子７５，７６、第２の端子保持部５０の端面５３の各々から０．６ｍｍ以上離れた位置に形成するのは、貫通孔９２周辺部の強度を確保するためであり、これにより、端子７５，７６を第２の端子保持部５０に設置する際や、巻線の引出線部分２を、貫通孔９２を経由して端子７６の絡げ部７６ａに接続する際に、貫通孔９２の周辺部分が破損することを防止することが可能となる。
【００３３】
また、上記貫通孔９２を、端子７５および端子７６から等距離の位置または端子７６に近い位置に形成するのは、端子７５からできるだけ離れた位置に貫通孔９２を配置するためであり、これにより、端子７６への配線と端子７５との間に半田ブリッジが生じ難くすることが可能となる。
【００３４】
他の貫通孔８１，８２，９１は、上記貫通孔９２と同様に構成されている。すなわち、貫通孔８１は、巻回部１０に巻回された巻線の引出線部分を、第１の端子保持部４０の端子６１に接続する際に利用されるものであり、図２に示すように第１の端子保持部４０の底面部には、貫通孔８１から端子６１に向けて延設された溝部８３が形成されている。また、貫通孔８２は、巻回部１０に巻回された巻線の引出線部分を、第１の端子保持部４０の端子６６に接続する際に利用されるものであり、図２に示すように第１の端子保持部４０の底面部には、貫通孔８２から端子６６に向けて延設された溝部８４が形成されている。同様に、貫通孔９１は、巻回部１０に巻回された巻線の引出線部分を、第２の端子保持部５０の端子７１に接続する際に利用されるものであり、図２に示すように第２の端子保持部５０の底面部には、貫通孔９１から端子７１に向けて延設された溝部９３が形成されている。
【００３５】
以上、本発明に係るボビンの実施形態について説明したが、本発明はかかる実施形態に限定されるものではなく、種々の態様のものを構成することができる。
【００３６】
例えば、上記実施形態では、各貫通孔８１，８２，９１，９２の開口形状が正方形となっているが、貫通孔の開口形状は、円形、楕円形、三角形など、任意の形状とすることが可能である。
【００３７】
また、上記実施形態のボビンは、巻回部１０を挟んで第２の鍔部３０の両端部に、第１および第２の端子保持部４０，５０がそれぞれ配されているが、本発明は、第２の鍔部の一端部のみに端子保持部が配されたボビンに対しても適用することが可能である。
【図面の簡単な説明】
【００３８】
【図１】一実施形態に係るボビンの平面図
【図２】図１に示すボビンの底面図
【図３】図１に示すボビンの斜視図
【図４】図１に示すボビンにコア部材が装着された状態を示す斜視図
【図５】図４に示すコア部材の正面図
【符号の説明】
【００３９】
２                （巻線の）引出線部分
１０              巻回部
１１              中空部
２１，２２        ガイド片
２０              第１の鍔部
３０              第２の鍔部
３１，３２        （第２の鍔部の）端面
３３，３４        溝部
４０              第１の端子保持部
４１，４２        （第１の端子保持部の）端面
５０              第２の端子保持部
５１，５２        （第２の端子保持部の）端面
６１〜６６，７１〜７７      端子
６１ａ〜６６ａ，７１ａ〜７７ａ      絡げ部
６１ｂ〜６６ｂ，７１ｂ〜７７ｂ      接続部
８１，８２，９１，９２      貫通孔
８３，８４，９３，９４      溝部
１００Ａ          第１のＥ型コア
１００Ｂ          第２のＥ型コア
１０１            中脚部
１０２，１０３    外脚部
１０４            基部
Ｌ１，Ｌ２          仮想の直線
Ｃ１，Ｃ２          中心線
Ｗ                （貫通孔の）幅
ｄ１，ｄ２          距離
ｒ                （端子の）幅
Ｒ                （端子の）配設ピッチ
【図１】
2009043994.tif 000003
【図２】
2009043994.tif 000004
【図３】
2009043994.tif 000005
【図４】
2009043994.tif 000006
【図５】
2009043994.tif 000007